(57)【要約】【課題】  球センサの作動電源（センサ電源）が遮断されたときの入賞誤り検出を防ぐことのできる遊技機の球センサ装置を提供する。【解決手段】  センサ側コネクタ２とメイン側コネクタ４とを着脱可能に接続することで、球センサ１とメイン制御回路基板３とが電気的に接続される。センサ側コネクタ２に、メイン側コネクタ４のセンサ電源出力端子（１番端子）に接続されるセンサ電源接続端子（１番端子）と、センサ電源接続端子と導通させたセンサ電源サブ端子（４番端子）とを設け、メイン側コネクタ４に、センサ側コネクタ２のセンサ電源サブ端子（４番端子）に接続されるセンサ電源監視端子（４番端子）を設ける。メイン制御回路基板３においてセンサ電源監視端子（４番端子）のセンサ電源の有無を監視する。【選択図】          図１
2005058498.tif 000002
【特許請求の範囲】
【請求項１】
遊技機における入賞検出を行う球センサと、前記入賞検出の有無を判断するメイン制御回路基板とを有し、前記球センサに設けられたセンサ側コネクタが、該球センサを作動させるためのセンサ電源を受け取るセンサ電源入力端子及び球検出信号を出力する球検出出力端子を備え、前記メイン制御回路基板に設けられたメイン側コネクタが、前記センサ電源を外部に出力するセンサ電源出力端子及び前記球検出信号を入力する球検出入力端子を備え、前記センサ側コネクタと前記メイン側コネクタとを着脱可能に接続することで、前記球センサと前記メイン制御回路基板とが電気的に接続される遊技機の球センサ装置において、
前記センサ側コネクタに、前記メイン側コネクタの前記センサ電源出力端子に接続されるセンサ電源接続端子と、前記センサ電源接続端子と導通させたセンサ電源サブ端子とを設け、前記メイン側コネクタに、前記センサ側コネクタの前記センサ電源サブ端子に接続されるセンサ電源監視端子を設けたことを特徴とする遊技機の球センサ装置。
【発明の詳細な説明】
【技術分野】
【０００１】
本発明は、遊技機における入賞検出を行う球センサと、入賞検出の有無を判断するメイン制御回路基板とを有し、球センサに設けられたセンサ側コネクタが、該球センサを作動させるためのセンサ電源を受け取るセンサ電源入力端子及び球検出信号を出力する球検出出力端子を備え、メイン制御回路基板に設けられたメイン側コネクタが、センサ電源を外部に出力するセンサ電源出力端子及び球検出信号を入力する球検出入力端子を備え、前記センサ側コネクタとメイン側コネクタとを着脱可能に接続することで、球センサとメイン制御回路基板とが電気的に接続される遊技機の球センサ装置に関するものである。
【背景技術】
【０００２】
パチンコ遊技機において、入賞球（例えば、始動口、大入賞口、普通入賞口等）の検出に用いられている球センサと入賞検出の有無を判断するメイン制御回路基板とは、球センサに設けられたセンサ側コネクタとメイン制御回路基板に設けられたメイン側コネクタと着脱可能に接続することで、球センサとメイン制御回路基板とを電気的に接続している。図６は、従来の球センサとメイン制御回路基板との接続を示す図である。従来は、センサ側コネクタが、該球センサを作動させるためのセンサ電源を受け取るセンサ電源入力端子（１番端子）及び球検出信号を出力する球検出出力端子（２番端子）を備え、メイン側コネクタが、センサ電源を外部に出力するセンサ電源出力端子（１番端子）及び球検出信号を入力する球検出入力端子（２番端子）を備え、前記のコネクタ同士を接続すると、センサ側コネクタのセンサ電源入力端子とメイン側コネクタのセンサ電源出力端子とが接続し、センサ側コネクタの球検出出力端子とメイン側コネクタの球検出入力端子とが接続する構成となっている。
【０００３】
図７は、コネクタ接続が正常な場合の従来のメイン側コネクタにおける球検出信号の変化を示す図である。球センサは、センサ電源（＋１２Ｖ）を作動電源とし、入賞球の検出がない場合は球検出出力端子にハイレベル（＋６Ｖ）を出力し、入賞球の検出がある場合は球検出出力端子にローレベル（約０Ｖ）を出力する。このため、メイン制御回路基板では、球検出入力端子の立下りを検出して入賞があったと判断している。
【０００４】
このように、入賞の有無の論理をローレベルアクティブで検出するため、意図的に球センサのコネクタが抜けた状態を作ると、例えば、コネクタを緩めに接続して台を叩く等して振動を強く与えると、センサ電源が断続的に遮断される状態となって、これに応じて球検出信号が断続的にローレベルとなる結果、入賞球を検出した状態と同じように出力が変化してしまう。図８は、コネクタ接続に異常がある場合の従来のメイン側コネクタにおける球検出信号の変化を示す図である。このため、この信号を受けたメイン制御回路基板は、あたかも入賞があったものとして賞球を払い出すように払出制御基板に指示してしまうという問題があった。
【発明の開示】
【発明が解決しようとする課題】
【０００５】
本発明の目的は、球センサの作動電源（センサ電源）が遮断されたときの入賞誤り検出を防ぐことのできる遊技機の球センサ装置を提供することにある。
【課題を解決するための手段】
【０００６】
請求項１に記載の遊技機の球センサ装置は、遊技機における入賞検出を行う球センサと、前記入賞検出の有無を判断するメイン制御回路基板とを有し、前記球センサに設けられたセンサ側コネクタが、該球センサを作動させるためのセンサ電源を受け取るセンサ電源入力端子及び球検出信号を出力する球検出出力端子を備え、前記メイン制御回路基板に設けられたメイン側コネクタが、前記センサ電源を外部に出力するセンサ電源出力端子及び前記球検出信号を入力する球検出入力端子を備え、前記センサ側コネクタと前記メイン側コネクタとを着脱可能に接続することで、前記球センサと前記メイン制御回路基板とが電気的に接続されるものであって、上記課題を解決するために、前記センサ側コネクタに、前記メイン側コネクタの前記センサ電源出力端子に接続されるセンサ電源接続端子と前記センサ電源接続端子と導通させたセンサ電源サブ端子とを設け、前記メイン側コネクタに前記センサ側コネクタの前記センサ電源サブ端子に接続されるセンサ電源監視端子を設けたことを特徴とする遊技機の球センサ装置。
【０００７】
請求項１に記載の構成において、次の構成を採用することがある。前記センサ側コネクタは、前記センサ電源入力端子と前記センサ電源サブ端子とを兼用させた構成とする。この構成によれば、センサ電源入力端子とセンサ電源サブ端子とを独立して設けた構成に比べて端子の数を減らすことができ、構造を単純化できる。
【０００８】
請求項１に記載の構成又は上述した構成において、前記メイン制御回路基板に、前記センサ電源監視端子におけるセンサ電源の供給がない場合に、前記球検出入力端子から入力される前記球検出信号の入力を遊技制御手段に対して遮断する異常時球入力信号遮断手段を設ける。この構成によれば、球検出信号の入力があっても、センサ電源監視端子におけるセンサ電源の供給がなければ、球検出信号の入力を無効とするので、球センサの作動電源（センサ電源）が遮断されたときの入賞誤り検出を防ぐことができる。
【発明の効果】
【０００９】
請求項１に記載の構成によれば、センサ側コネクタとメイン側コネクタとを接続すると、メイン側コネクタのセンサ電源出力端子がセンサ側コネクタのセンサ電源接続端子に接続されると共に、メイン側コネクタのセンサ電源監視端子がセンサ側コネクタのセンサ電源サブ端子に接続され、メイン制御回路基板のセンサ電源出力端子から出力されたセンサ電源がセンサ側コネクタのセンサ電源接続端子に供給され、さらにセンサ電源接続端子と導通させたセンサ電源サブ端子に供給され、センサ電源サブ端子に接続されたメイン側コネクタのセンサ電源監視端子にセンサ電源が印加されるので、コネクタ抜け（球センサのコネクタ接続不良）によってセンサ電源が遮断された場合に、メイン制御回路基板でセンサ電源の遮断を検知できるため、球センサの作動電源（センサ電源）が遮断されたときの入賞誤り検出を防ぐことができる。
【発明を実施するための最良の形態】
【００１０】
以下、本発明の実施形態を図面を参照して説明する。図１は本発明の遊技機の球センサ装置の第１実施形態に係る球センサとメイン制御回路基板との接続を表す図である。球センサ１は、例えば、パチンコ遊技機の遊技盤に設けられた始動口、大入賞口、大入賞口内の特定領域、普通入賞口等に対して設けられるものであり、これらの入賞口に入賞した打球（入賞球）の検出に用いられる。球センサ１は、円形状の孔よりなる検出部１ａを球が通過すると、球の通過に応じて球検出信号を出力する。球センサ１からは２本のハーネスが引き出され、２本のハーネスの末端にはセンサ側コネクタ２が取り付けられている。
【００１１】
一方、球センサ１による入賞検出の有無を判断し、入賞検出ありに応じて遊技制御を行うメイン制御回路基板３は、センサ側コネクタ２と着脱自在に接続されるメイン側コネクタ４を有している。なお、センサ側コネクタ２とメイン側コネクタ４とを着脱可能に接続することで、球センサ１とメイン制御回路基板３とが電気的に接続される。
【００１２】
第１実施形態の球センサ装置にあっては、センサ側コネクタ２及びメイン側コネクタ４がそれぞれ４つの端子を備えている。即ち、センサ側コネクタ２は、球センサ１を作動させるためのセンサ電源（＋１２Ｖ）を受け取るセンサ電源入力端子（３番端子）、球検出信号を出力する球検出出力端子（２番端子）、メイン側コネクタ４のセンサ電源出力端子（後述）に接続されるセンサ電源接続端子（１番端子）、センサ電源接続端子と導通させたセンサ電源サブ端子（４番端子）を備えている。なお、センサ電源接続端子（１番端子）とセンサ電源サブ端子（４番端子）とをハーネス（電線）５で繋ぐことで導通させている。
【００１３】
一方、メイン側コネクタ４は、センサ電源（＋１２Ｖ）を外部に出力するセンサ電源出力端子（１番端子）、球検出信号を入力する球検出入力端子（２番端子）、センサ電源監視端子（４番端子）、センサ電源供給端子（３番端子）を備えている。なお、メイン制御回路基板３はプリント配線パターンにより各種の配線がされている。センサ電源供給端子（３番端子）は、センサ電源監視端子（４番端子）に接続されているセンサ電源監視ライン６から分岐する分岐ライン７に接続されている。
【００１４】
なお、球センサ１は、センサ電源（＋１２Ｖ）を作動電源とし、入賞球の検出がない場合は球検出出力端子（２番端子）にハイレベル（＋６Ｖ）を出力し、入賞球の検出がある場合は球検出出力端子にローレベル（約０Ｖ）を出力する。
【００１５】
センサ側コネクタ２とメイン側コネクタ４とを（着脱自在に）接続すると、メイン側コネクタ４のセンサ電源出力端子（１番端子）がセンサ側コネクタ２のセンサ電源接続端子（１番端子）に接続され、メイン側コネクタ４の球検出入力端子（２番端子）とセンサ側コネクタ２の球検出出力端子（２番端子）とが接続され、メイン側コネクタ４のセンサ電源供給端子（３番端子）がセンサ側コネクタ２のセンサ電源入力端子（３番端子）に接続され、メイン側コネクタ４のセンサ電源監視端子（４番端子）がセンサ側コネクタ２のセンサ電源サブ端子（４番端子）に接続される。
【００１６】
メイン側コネクタ４のセンサ電源出力端子（１番端子）には、電源回路（図示せず）で生成されたセンサ電源（＋１２Ｖ）が供給される。上記接続により、センサ電源は、メイン側コネクタ４のセンサ電源出力端子（１番端子）−センサ側コネクタ２のセンサ電源接続端子（１番端子）−ハーネス５−センサ側コネクタ２のセンサ電源サブ端子（４番端子）−メイン側コネクタ４のセンサ電源監視端子（４番端子）−センサ電源監視ライン６−分岐ライン７−メイン側コネクタ４のセンサ電源供給端子（３番端子）−センサ側コネクタ２のセンサ電源入力端子（３番端子）と経由して球センサ１に供給される。また、球センサ１の球検出信号は、センサ側コネクタ２の球検出出力端子（２番端子）−メイン側コネクタ４の球検出入力端子（２番端子）と経由してメイン制御回路基板３の球検出回路に入力される。
【００１７】
なお、球センサ１にセンサ電源が供給されていない状態（センサ電源の遮断状態）の検知については、センサ電源監視ライン６におけるセンサ電源の供給のなしに応じて、球検出入力端子から入力される球検出信号の入力を遊技制御手段（メインＣＰＵ）に対して遮断する（異常時球検出信号遮断手段）。なお、図２に、コネクタ接続が正常な場合の本発明のメイン側コネクタにおけるセンサ電源及び球検出信号の変化を示す。コネクタ接続が正常である場合には、メイン側コネクタ４のセンサ電源監視端子（４番端子）のセンサ電源は＋１２Ｖを維持し、ローレベルに変化しない。
【００１８】
上記のコネクタ接続においてコネクタ抜け（メイン側コネクタ４に対して球センサ１のセンサ側コネクタ２を斜め抜きして接続状態を緩めにする）を意図的に生じさせた場合、両端に位置する端子同士の接続状態が不良となる。この不良状態は、遊技機を叩く等して振動を強く与えると、端子同士の接続状態が断続的に遮断される状態となる。図３は、コネクタ接続に異常がある場合の本発明のメイン側コネクタにおけるセンサ電源及び球検出信号の変化を示す図である。例えば、メイン側コネクタ４のセンサ電源出力端子（１番端子）とセンサ側コネクタ２のセンサ電源接続端子（１番端子）との接続が遮断された場合は、メイン側コネクタ４のセンサ電源監視端子（４番端子）の電圧が０Ｖになるので、センサ電源監視ライン６経由でセンサ電源の供給がないことが検知される。また、例えば、メイン側コネクタ４のセンサ電源監視端子（４番端子）とセンサ側コネクタ２のセンサ電源サブ端子（４番端子）との接続が遮断された場合も、センサ電源監視ライン６経由でセンサ電源の供給がないことが検知される。これによってセンサ電源が遮断された場合に、メイン制御回路基板３でセンサ電源の遮断を検知できるため、球センサ１のセンサ電源が遮断されたときの入賞誤り検出を防ぐことができる。
【００１９】
また、このように、メイン側コネクタ４において、センサ電源を外部に出力するセンサ電源出力端子とセンサ電源の供給の有無を監視するセンサ電源監視端子との間に球検出入力端子を配置した構成としたので、センサ側コネクタ２の斜め抜きが行われても、メイン制御回路基板３でセンサ電源の遮断を検知できるから、メイン側コネクタ４に対してセンサ側コネクタ２が斜め抜きされていることを検知できる。
【００２０】
以上に述べた遊技機の球センサ装置の第１実施形態は、センサ側コネクタ２においてセンサ電源入力端子（３番端子）とセンサ電源サブ端子（４番端子）とを独立して別に設けた構成としているが、次に説明する遊技機の球センサ装置の第２実施形態は、センサ側コネクタにおいて、センサ電源入力端子とセンサ電源サブ端子とを兼用させて１つの端子で構成したものである。
【００２１】
図４は本発明の遊技機の球センサ装置の第２実施形態に係る球センサとメイン制御回路基板との接続を表す図である。第２実施形態の球センサ装置にあっては、センサ側コネクタ８及びメイン側コネクタ９がそれぞれ３つの端子を備えている。即ち、メイン側コネクタ４のセンサ電源出力端子（後述）に接続されるセンサ電源接続端子（１番端子）、球検出信号を出力する球検出出力端子（２番端子）、センサ電源（＋１２Ｖ）を受け取るセンサ電源入力端子（３番端子）を有し、センサ電源接続端子（１番端子）とセンサ電源入力端子（３番端子）とをハーネス（電線）１０で繋ぐことで導通させている。従って、センサ側コネクタ８の「３番端子」が、球センサ１を作動させるためのセンサ電源（＋１２Ｖ）を受け取るセンサ電源入力端子とセンサ電源接続端子（１番端子）と導通させたセンサ電源サブ端子とを兼ねている。
【００２２】
一方、メイン側コネクタ９は、センサ電源（＋１２Ｖ）を外部に出力するセンサ電源出力端子（１番端子）、球検出信号を入力する球検出入力端子（２番端子）、センサ電源監視端子（３番端子）を備えている。
【００２３】
センサ側コネクタ８とメイン側コネクタ９とを（着脱自在に）接続すると、メイン側コネクタ９のセンサ電源出力端子（１番端子）がセンサ側コネクタ８のセンサ電源接続端子（１番端子）に接続され、メイン側コネクタ９の球検出入力端子（２番端子）とセンサ側コネクタ８の球検出出力端子（２番端子）とが接続され、メイン側コネクタ９のセンサ電源監視端子（３番端子）がセンサ側コネクタ８のセンサ電源入力端子（３番端子）に接続される。
【００２４】
上記接続により、センサ電源は、メイン側コネクタ９のセンサ電源出力端子（１番端子）−センサ側コネクタ８のセンサ電源接続端子（１番端子）−ハーネス１０−センサ側コネクタ８のセンサ電源入力端子（３番端子）と経由して球センサ１に供給される。また、球センサ１の球検出信号は、センサ側コネクタ８の球検出出力端子（２番端子）−メイン側コネクタ９の球検出入力端子（２番端子）と経由してメイン制御回路基板３の球検出回路に入力される。
【００２５】
なお、球センサ１にセンサ電源が供給されていない状態（センサ電源の遮断状態）の検知について、センサ側コネクタ８のセンサ電源入力端子（３番端子）と接続されたメイン側コネクタ９のセンサ電源監視端子（３番端子）に接続したセンサ電源監視ラインにおけるセンサ電源の供給のなしに応じて、球検出入力端子（２番端子）から入力される球検出信号の入力を遊技制御手段（メインＣＰＵ）に対して遮断する（異常時球検出信号遮断手段）。
【００２６】
上記のコネクタ接続においてコネクタ抜け（メイン側コネクタ９に対して球センサ１のセンサ側コネクタ８を斜め抜きして接続状態を緩めにする）を意図的に生じさせた場合、両端に位置する端子同士の接続状態が不良となる。例えば、メイン側コネクタ９のセンサ電源出力端子（１番端子）とセンサ側コネクタ８のセンサ電源接続端子（１番端子）との接続が遮断された場合は、メイン側コネクタ８のセンサ電源監視端子（３番端子）の電圧が０Ｖになるので、電源監視ライン経由でセンサ電源の供給がないことが検知される。また、例えば、メイン側コネクタ９のセンサ電源監視端子（３番端子）とセンサ側コネクタ８のセンサ電源入力端子（３番端子）との接続が遮断された場合も、電源監視ライン経由でセンサ電源の供給がないことが検知される。これによってセンサ電源が遮断された場合に、メイン制御回路基板３でセンサ電源の遮断を検知できるため、球センサ１のセンサ電源が遮断されたときの入賞誤り検出を防ぐことができる。
【００２７】
また、このように、メイン側コネクタ９において、センサ電源を外部に出力するセンサ電源出力端子とセンサ電源の供給の有無を監視するセンサ電源監視端子との間に球検出入力端子を配置した構成としたので、センサ側コネクタ８の斜め抜きが行われても、メイン制御回路基板３でセンサ電源の遮断を検知できるから、メイン側コネクタ９に対してセンサ側コネクタ８が斜め抜きされていることを検知できる。
【００２８】
図５は、前述した異常時球検出信号遮断手段の具体的な実施形態を示す図である。異常時球検出信号遮断手段は、メイン制御回路基板３において、メイン側コネクタ４の球検出入力端子とセンサ電源監視端子とに対して設けられる。メイン側コネクタの球検出入力端子に接続されている球検出信号入力ライン１１は、抵抗Ｒ１と抵抗Ｒ２を通じて接地され、抵抗Ｒ１と抵抗Ｒ２との接続点がエミッタ接地されたトランジスタＴｒ１のベースに接続されている。トランジスタＴｒ１のコレクタは抵抗Ｒ５を介して作動電源（＋５Ｖ）に接続され、トランジスタＴｒ１のコレクタと抵抗Ｒ５との接続点が、バスバッファ１３の入力端子Ａに接続されている。また、バスバッファ１３の（反転）出力端子ＣがメインＣＰＵ１４に接続されている。
【００２９】
一方、メイン側コネクタのセンサ電圧監視端子に接続されているセンサ電源監視ライン１２は、抵抗Ｒ３と抵抗Ｒ４を通じて接地され、抵抗Ｒ３と抵抗Ｒ４との接続点がエミッタ接地されたトランジスタＴｒ２のベースに接続されている。トランジスタＴｒ２のコレクタは抵抗Ｒ６を介して作動電源（＋５Ｖ）に接続され、トランジスタＴｒ２のコレクタと抵抗Ｒ６との接続点が、バスバッファ１３のゲート端子Ｂに接続されている。バスバッファ１３は、ゲート端子Ｂの入力がローレベルである場合にアクティブとなり、入力端子Ａに入力される信号の論理を出力端子Ｃから反転出力する。また、バスバッファ１３は、ゲート端子Ｂの入力がハイレベルである場合にネガティブとなり、入力端子Ａに入力される信号の論理に関係なく出力端子Ｃからの出力をハイレベルとする。
【００３０】
以上のように構成された異常時球検出信号遮断手段の正常時の動作とコネクタの斜め抜きによるセンサ電源遮断時（異常時）の動作を説明する。球検出信号入力ライン１１は、球検出信号の入力なしの状態ではハイレベル（＋６Ｖ）を維持しており、抵抗Ｒ１と抵抗Ｒ２で分圧される電圧が、トランジスタＴｒ１のベース電圧として印加される。これにより、球検出信号の入力なしの状態ではトランジスタＴｒ１はオンであり、抵抗Ｒ５−トランジスタＴｒ１のコレクタ−エミッタ−接地に電流が流れる。このとき、バスバッファ１３の入力端子Ａの入力は、抵抗Ｒ５による降下電圧によりローレベルとなっている。
【００３１】
一方、コネクタの接続が正常である場合、センサ電源監視端子は、センサ電源（＋１２Ｖ）と接続状態にあるから、ハイレベル（＋１２Ｖ）を維持しており、抵抗Ｒ３と抵抗Ｒ４で分圧される電圧が、トランジスタＴｒ２のベース電圧として印加される。これにより、センサ電源と接続状態ではトランジスタＴｒ２はオンであり、抵抗Ｒ６−トランジスタＴｒ２のコレクタ−エミッタ−接地に電流が流れる。このとき、バスバッファ１３のゲート端子Ｂの入力は、抵抗Ｒ６による降下電圧によりローレベルとなっている。したがって、バスバッファ１３はアクティブとなっている。また、球検出信号の入力なしの状態では、入力端子Ａの入力がローレベルである結果、出力端子Ｃの出力はハイレベルとなっている。
【００３２】
また、球検出信号の入力があると、球検出信号入力ライン１１はローレベル（０Ｖ）に立ち下がる。したがって、トランジスタＴｒ１はオフする。このとき、バスバッファ１３の入力端子Ａの入力は、抵抗Ｒ５を電流が流れることによる降下電圧が消滅するため、作動電源（＋５Ｖ）が印加されてハイレベルになる。したがって、球検出信号の入力があると、バスバッファ１３の出力端子Ｃの出力はローレベルになる。メインＣＰＵ１４は、バスバッファ１３の出力端子Ｃの出力がハイレベルからローレベルに立ち下がると、球検出信号ありと判別する。
【００３３】
次に、コネクタの斜め抜きにより、センサ電源の遮断が起こると、センサ電源出力端子のみが抜けた場合並びにセンサ電源監視端子のみが抜けた場合の両方とも、センサ電源監視端子はセンサ電源（＋１２Ｖ）に対して遮断状態となるから、センサ電源監視ライン１２はローレベル（０Ｖ）になる。したがって、トランジスタＴｒ２はオフする。このとき、バスバッファ１３のゲート端子Ｂの入力は、抵抗Ｒ６を電流が流れることによる降下電圧が消滅するため、作動電源（＋５Ｖ）が印加されてハイレベルになる。したがって、バスバッファ１３はネガティブになる。これにより、バスバッファ１３は入力端子Ａに入力される信号（論理）に関係なく出力端子Ｃからの出力をハイレベルとする。球センサ１に供給するセンサ電源の遮断が起こると、球センサ１が動作しなくなるため、応じて球検出入力端子もローレベルになり、トランジスタＴｒ１がオフし、バスバッファ１３の入力端子Ａの入力がハイレベルになるが、バスバッファ１３はネガティブになっているため出力端子Ｃの出力がハイレベルのまま変化しないから、結果として、球検出入力端子から入力される球検出信号の入力をメインＣＰＵ１４に対して遮断する。
【００３４】
上述した実施形態では、センサ電源の遮断が起きた場合、メインＣＰＵに対する球検出信号の入力を遮断することで、球検出信号の誤り検出がないようにハード的に解決する構成としているが、これに代えて、メインＣＰＵの処理により、球検出信号の誤り検出がないようにソフト的に解決する構成としてもよい。この場合、球検出信号入力ラインにおいて球検出信号の入力がある場合、センサ電源監視ラインにおいてセンサ電源の供給の有無を判別し、センサ電源の供給がないと判別した場合、球検出信号の入力を無効とする［球検出フラグを０クリア（入賞なし）する］。
【図面の簡単な説明】
【００３５】
【図１】本発明の遊技機の球センサ装置の第１実施形態に係る球センサとメイン制御回路基板との接続を表す図
【図２】コネクタ接続が正常な場合の本発明のメイン側コネクタにおけるセンサ電源及び球検出信号の変化を示す図
【図３】コネクタ接続に異常がある場合の本発明のメイン側コネクタにおけるセンサ電源及び球検出信号の変化を示す図
【図４】本発明の遊技機の球センサ装置の第２実施形態に係る球センサとメイン制御回路基板との接続を表す図
【図５】異常時球検出信号遮断手段の具体的な実施形態を示す図
【図６】従来の球センサとメイン制御回路基板との接続を示す図
【図７】コネクタ接続が正常な場合の従来のメイン側コネクタにおける球検出信号の変化を示す図
【図８】コネクタ接続に異常がある場合の従来のメイン側コネクタにおける球検出信号の変化を示す図
【符号の説明】
【００３６】
１  球センサ
２  センサ側コネクタ（第１実施形態）
３  メイン制御回路基板
４  メイン側コネクタ（第１実施形態）
５  ハーネス
６  センサ電源監視ライン
７  分岐ライン
８  センサ側コネクタ（第２実施形態）
９  メイン側コネクタ（第２実施形態）
１０  ハーネス
１１  球検出信号入力ライン
１２  センサ電源監視ライン
１３  バスバッファ
１４  メインＣＰＵ
【図１】
2005058498.tif 000003
【図２】
2005058498.tif 000004
【図３】
2005058498.tif 000005
【図４】
2005058498.tif 000006
【図５】
2005058498.tif 000007
【図６】
2005058498.tif 000008
【図７】
2005058498.tif 000009
【図８】
2005058498.tif 000010